(57)【要約】 【課題】  隣接するディスプレイとの通信を行なうことなく、複数のディスプレイの配置構成を自動認識することができる画像表示システムを提供する。【解決手段】  ハブ３０ｅに設けられるポート番号Ａ〜Ｉの９個のポートは、各ポートに接続されるディスプレイ４０を配置するための位置に対応する位置に配置される。サーバ１０は、まず、ハブ３０の全ポートに、画面全体を黒表示とするための情報を出力し、ディスプレイ４０の画面を黒表示にしてカメラ２０によってディスプレイ全体をキャプチャする。次に、ハブ３０の全ポートに、画面全体を白表示とするための情報を出力し、ディスプレイ４０の画面を白表示にしてカメラ２０によってディスプレイ全体をキャプチャする。キャプチャした黒表示の画像と白表示の画像とから、表示可能なディスプレイ４０のレイアウトおよびそのディスプレイ４０のディスプレイ位置を認識する。【選択図】      図１
2008281717.tif 000002
【特許請求の範囲】
【請求項１】
マルチディスプレイを構成する複数のディスプレイ部に画像情報を表示する画像表示システムであって、
複数のディスプレイ部を個別に接続する複数のポート部と、
複数のディスプレイ部がマルチディスプレイを構成する配置構成に、複数のポート部を配置する接続部と、
各ポート部を経由して個別のディスプレイ部に、ディスプレイ部が設置されていることを示す設置画像情報を出力する出力部と、
ディスプレイ部に表示された設置画像情報を撮影する撮影部と、
撮影部によって撮影された設置画像情報に基づいて、各ポート部に接続される個別のディスプレイ部の配置位置を検出する検出部とを含むことを特徴とする画像表示システム。
【請求項２】
前記出力部は、１つの画像を分割した分割画像のうち、その画像の中に占める分割画像の位置が、前記検出部によって検出された個別のディスプレイ部の配置位置に対応する位置の分割画像を表す分割画像情報を、個別のディスプレイ部に出力することを特徴とする請求項１に記載の画像表示システム。
【請求項３】
前記出力部は、電力を各ディスプレイ部に供給する電力線を介して、設置画像情報および分割画像情報を出力することを特徴とする請求項２に記載の画像表示システム。
【請求項４】
前記配置構成は、縦方向の段数および横方向の列数で表されることを特徴とする請求項１〜３のいずれか１つに記載の画像表示システム。
【発明の詳細な説明】
【技術分野】
【０００１】
本発明は、マルチディスプレイに画像を表示する画像表示システムに関する。
【背景技術】
【０００２】
大画面を構成するために複数のディスプレイを隣接配置したマルチディスプレイが用いられる。個別のディスプレイは、サーバからの表示データを受信するための複数のポートのいずれかに接続され、接続されたポートから受信した表示データを表示する。ディスプレイを設置する際に、個別のディスプレイがどのポートに接続されているか、すなわちディスプレイの配置構成を確認して、サーバに設定する必要がある。
【０００３】
ディスプレイである画像表示装置の配置構成の確認を自動で行うことができる従来の技術として、複数の画像表示装置の様々な配置構成に対応したアドレス設定および表示を可能としたマルチディスプレイ装置がある。このマルチディスプレイ装置は、マルチディスプレイ装置を構成する各画像表示装置に４方向インタフェースを設ける。そして、各インタフェースを介してアドレス伝播を実行して、各画像表示装置の配置情報を取得し、配置情報からなるマトリクステーブルを生成する。さらに、生成したマトリクステーブルに基づいて、画像表示装置のうちのマスター装置からスレーブ装置に対して画像切り出し、Ｎ倍密変換処理用の制御信号をそれぞれ送信し、各スレーブ装置において、自装置に対応する制御信号を抽出して表示データを生成する（たとえば特許文献１参照）。
【０００４】
【特許文献１】特開２００３−２８０６２４号公報
【発明の開示】
【発明が解決しようとする課題】
【０００５】
しかしながら、従来の技術は、各ディスプレイに隣接するディスプレイとアドレスを送受信するためのハードウエアを設ける必要があるという問題がある。
【０００６】
本発明の目的は、隣接するディスプレイとの通信を行なうことなく、複数のディスプレイの配置構成を自動認識することができる画像表示システムを提供することである。
【課題を解決するための手段】
【０００７】
本発明は、マルチディスプレイを構成する複数のディスプレイ部に画像情報を表示する画像表示システムであって、
複数のディスプレイ部を個別に接続する複数のポート部と、
複数のディスプレイ部がマルチディスプレイを構成する配置構成に、複数のポート部を配置する接続部と、
各ポート部を経由して個別のディスプレイ部に、ディスプレイ部が設置されていることを示す設置画像情報を出力する出力部と、
ディスプレイ部に表示された設置画像情報を撮影する撮影部と、
撮影部によって撮影された設置画像情報に基づいて、各ポート部に接続される個別のディスプレイ部の配置位置を検出する検出部とを含むことを特徴とする画像表示システムである。
【０００８】
本発明に従えば、マルチディスプレイを構成する複数のディスプレイ部に画像を表示するにあたって、複数のポート部によって、複数のディスプレイ部が個別に接続され、接続部によって、複数のディスプレイ部がマルチディスプレイを構成する配置構成に、複数のポート部が配置され、出力部によって、各ポート部を経由して個別のディスプレイ部に、ディスプレイ部が設置されていることを示す設置画像情報が出力され、撮影部によって、ディスプレイ部に表示された設置画像情報が撮影され、検出部によって、撮影部によって撮影された設置画像情報に基づいて、各ポート部に接続される個別のディスプレイ部の配置位置が検出されるので、隣接するディスプレイとの通信を行なうことなく、ポート部とディスプレイ部の接続ミスを低減するとともに、複数のディスプレイの配置構成を自動認識することができる。
【０００９】
また本発明は、前記出力部は、１つの画像を分割した分割画像のうち、その画像の中に占める分割画像の位置が、前記検出部によって検出された個別のディスプレイ部の配置位置に対応する位置の分割画像を表す分割画像情報を、個別のディスプレイ部に出力することを特徴とする。
【００１０】
本発明に従えば、前記出力部によって、１つの画像を分割した分割画像のうち、その画像の中に占める分割画像の位置が、前記検出部によって検出された個別のディスプレイ部の配置位置に対応する位置の分割画像を表す分割画像情報が、個別のディスプレイ部に出力されるので、設定ミスが低減されたディスプレイの配置構成で画像情報を転送することができる。
【００１１】
また本発明は、前記出力部は、電力を各ディスプレイ部に供給する電力線を介して、設置画像情報および分割画像情報を出力することを特徴とする。
【００１２】
本発明に従えば、前記出力部によって、電力を各ディスプレイ部に供給する電力線を介して、設置画像情報および分割画像情報が出力されるので、電力線を利用して表示するための画像情報を転送することができる。
【００１３】
また本発明は、前記配置構成は、縦方向の段数および横方向の列数で表されることを特徴とする。
【００１４】
本発明に従えば、前記配置構成は、縦方向の段数および横方向の列数で表されるので、複数のディスプレイ部の配置位置と、ポート部の位置との対応を容易に理解することができる。
【発明の効果】
【００１５】
本発明によれば、隣接するディスプレイとの通信を行なうことなく、ポート部とディスプレイ部の接続ミスを低減するとともに、複数のディスプレイの配置構成を自動認識することができるので、マルチディスプレイの設置において、作業を簡略化することができる。
【００１６】
また本発明によれば、設定ミスが低減されたディスプレイの配置構成で画像情報を転送することができるので、システムの信頼性を向上することができる。
【００１７】
また本発明によれば、電力線を利用して表示するための画像情報を転送することができるので、ネットワークなどのデータを送受信するための回線がなくても画像情報を転送することができる。
【００１８】
また本発明によれば、複数のディスプレイ部の配置位置と、ポート部の位置との対応を容易に理解することができるので、接続ミスを低減することができる。
【発明を実施するための最良の形態】
【００１９】
図１は、本発明の実施の一形態である画像供給システム１の外観を模式的に示す。画像表示システムである画像供給システム１は、サーバ１０、カメラ２０、ハブ３０、および複数のディスプレイ４０を含む。画像供給システム１は、まず、ディスプレイ４０の構成を検出する。その後、画像を表示する際、検出したディスプレイ４０の構成に応じて画像を分割し、分割した画像をハブ３０に接続される個別のディスプレイ４０に出力して表示させる。
【００２０】
サーバ１０は、ディスプレイ４０の構成の検出、およびディスプレイ４０への画像の出力を制御する。カメラ２０は、ディスプレイ４０に表示される画像を撮影し、撮影した画像をサーバ１０に送る。ハブ３０は、ディスプレイ４０を接続するための複数のポート（以下「出力ポート」ともいう）を有し、たとえばＰＬＣ（Power Line communications）型ハブあるいはネットワークハブによって構成される。ディスプレイ４０は、たとえば液晶ディスプレイなどの表示部を含み、ハブ３０を経由してサーバ１０から送られてくる画像を表示する。
【００２１】
図２は、図１に示した画像供給システム１のブロック図である。図１に示した画像供給システム１は、マルチディスプレイを９台のディスプレイ４０によって構成した例であるが、図２に示した画像供給システム１は、マルチディスプレイを４台のディスプレイ４０によって構成した例である。カメラ２０は、サーバ１０に接続されている。ハブ３０として、ネットワークハブ３０ａを用いており、４台のディスプレイ４０は、そのネットワークハブ３０ａを介して、サーバ１０に接続されている。各ディスプレイ４０に示されている文字は、各ディスプレイ４０が接続されているネットワークハブ３０ａのポート番号である。上段左側のディスプレイ４０のポート番号は、「Ａ」であり、上段右側のディスプレイ４０のポート番号は、「Ｇ」であり、下段左側のディスプレイ４０のポート番号は、「Ｂ」であり、下段右側のディスプレイ４０のポート番号は、「Ｉ」である。ネットワークハブ３０ａの代わりに、マルチ出力可能なビデオカードなどのビデオ出力部を用いて、ディスプレイ４０を接続してもよい。
【００２２】
図３は、図１に示したサーバ１０のブロック図である。サーバ１０は、カメラＩ／Ｆ（Interface）１１、画像処理認識部１２、ポートマッピングテーブル１３、コマンド生成部１４、イメージデータ生成部１５、データ分割部１６、ポートアサイン部１７、パケット化部１８、およびネットワークＩ／Ｆ１９を含む。
【００２３】
カメラＩ／Ｆ１１は、カメラ２０を接続するインタフェース部であり、カメラ２０から送られてくる撮影された画像を表す画像情報を、画像処理認識部１２に送る。画像処理認識部１２は、カメラＩ／Ｆ１１から受け取った画像情報に基づいて、マルチディスプレイの領域およびその領域内での個別のディスプレイ４０の位置を認識し、認識した結果をポートマッピングテーブル１３に記憶する。
【００２４】
ポートマッピングテーブル１３は、各ディスプレイ４０のディスプレイ位置と、各ディスプレイ４０が接続されるハブ３０のポート番号とを対応付けたテーブルである。コマンド生成部１４は、ディスプレイ４０に指示するコマンドたとえば画像情報を表示させるためのコマンドを生成し、生成したコマンドをパケット化部１８に送る。イメージデータ生成部１５は、マルチディスプレイ用の全体の画像イメージを生成する。イメージデータ生成部１５は、ＨＤＤ（Hard Disk Drive）などの記憶装置を含み、生成した画像イメージを記憶装置に記憶する。データ分割部１６は、イメージデータ生成部１５によって生成された全体の画像イメージを、ディスプレイ４０の構成にあわせて分割する。
【００２５】
ポートアサイン部１７は、データ分割部１６によって分割された画像イメージを、その分割された画像イメージを表示すべきディスプレイ４０に対応するポートごとに対応付けてアサインする。パケット化部１８は、コマンド生成部１４から受け取ったコマンドまたはポートアサイン部１７から受け取った画像イメージのデータをパケット化し、パケット化されたパケットデータをネットワークＩ／Ｆ１９に送る。ネットワークＩ／Ｆ１９は、ネットワークに接続するためのインタフェース部であり、パケット化部１８から受け取ったパケットデータを送出する。
【００２６】
図４は、図１に示したハブ３０の一種であるＰＬＣ型ハブ３０ｂの外観の一例を模式的に示す。図４に示したＰＬＣ型ハブ３０ｂは、ポートＳおよびポートＡ〜ポートＩの１０個のポートを有する。ポートＳは、サーバ１０を接続するためのポートである。ポートＡ〜ポートＩは、個別のディスプレイ４０を接続するためのポートであり、縦横に配置されている。
【００２７】
図５は、図４に示したＰＬＣ型ハブ３０ｂのブロック図である。ＰＬＣ型ハブ３０ｂは、パケット解析部３１、データ振り分け部３２、Ｄｅｌａｙ（遅延時間）調整部３３、電源・データ混合部３４、および電源３５を含む。パケット解析部３１は、ポートＳを介してサーバ１０から送られてくるパケットデータを受け取り、パケットデータを出力するポート番号を解析する。データ振り分け部３２は、パケット解析部３１による解析結果つまりパケットデータを出力するポート番号に基づいて、パケットデータをポートごとに振り分ける。Ｄｅｌａｙ調整部３３は、ポートごとに設けられ、データ振り分け部３２によって振り分けられたパケットデータに対して、ポートごとに予め測定されている遅延時間分の時間調整を行なって、電源・データ混合部３４に送る。電源・データ混合部３４は、電源３５から供給される電力の信号に、各Ｄｅｌａｙ調整部３３から送られてくるパケットデータを混合し、ポートＡ〜ポートＩうちの対応するポートに送る。各ポートは、受け取ったパケットデータを、それぞれ接続されるディスプレイ４０に出力する。
【００２８】
図６は、図１に示したハブ３０の一種であるネットワークハブ３０ａの外観の一例を模式的に示す。図６に示したネットワークハブ３０ａは、ポートＳおよびポートＡ〜ポートＩの１０個のポートを有する。ポートＳは、サーバを接続するためのポートであり、ポートＡ〜ポートＩは、ディスプレイ４０を接続するためのポートである。ポートＳおよびポートＡ〜ポートＩの１０個のポートは、横一列に配置されている。
【００２９】
図７は、図６に示したネットワークハブ３０ａのブロック図である。ネットワークハブ３０ａは、パケット解析部３１、データ振り分け部３２、およびＤｅｌａｙ調整部３３を含む。ネットワークハブ３０ａは、ＰＬＣ型ハブ３０ｂと異なり、電力を供給するものではないので、電源３５および電源・データ混合部３４は設けられていない。パケット解析部３１は、ポートＳを介してサーバ１０から送られてくるパケットデータを受け取り、パケットデータを出力するポート番号を解析する。データ振り分け部３２は、パケット解析部３１による解析結果つまりパケットデータを出力するポート番号に基づいて、パケットデータをポートごとに振り分ける。Ｄｅｌａｙ調整部３３は、ポートごとに設けられ、データ振り分け部３２によって振り分けられたパケットデータに対して、ポートごとに予め測定されている遅延時間分の時間調整を行なって、ポートＡ〜ポートＩうちの対応するポートに送る。各ポートは、受け取ったパケットデータを、それぞれ接続されるディスプレイ４０に出力する。
【００３０】
図８は、図１に示したディスプレイ４０のブロック図である。ディスプレイ４０は、ＰＬＣ型ハブ３０ｂと接続するためのディスプレイであり、ＰＬＣＩ／Ｆ４１、電源・データ分離部４２、電源部４３、パケット処理部４４、データ処理部４５、コマンド処理部４６、表示データ生成部４７、フォントデータ４８、表示制御部４９、および表示部５０を含む。ＰＬＣＩ／Ｆ４１は、ＰＬＣ型ハブ３０ｂと接続するためのインタフェース部であり、ＰＬＣ型ハブ３０ｂから受け取った電力信号およびデータを、電源・データ分離部４２に送る。電源・データ分離部４２は、ＰＬＣＩ／Ｆ４１から受け取った電力信号およびパケットデータを分離し、電力信号を電源部４３に送り、パケットデータをパケット処理部４４に送る。電源部４３は、ディスプレイ４０の各部位に電力を供給する。
【００３１】
パケット処理部４４は、電源・データ分離部４２から受け取ったパケットデータをコマンドまたはデータに分け、パケットデータがデータであれば、そのデータをデータ処理部４５に送り、パケットデータがコマンドであれば、そのコマンドをコマンド処理部４６に送る。データ処理部４５は、受け取ったデータを解析した後、受け取ったデータに対して解析結果に基づく処理を行い、処理後のデータを表示データ生成部４７に送る。たとえば受け取ったデータが圧縮された画像ファーマットのデータである場合、圧縮されている画像データの伸張を行い、伸張された画像データを表示データ生成部４７に送る。コマンド処理部４６は、受け取ったコマンドを解析し、コマンド解析結果を表示データ生成部４７および表示制御部４９に送る。
【００３２】
表示データ生成部４７は、データ処理部４５から受け取った処理後のデータに対して、コマンド処理部４６から受け取ったコマンド解析結果に応じた画像の表示イメージデータを生成し、生成した表示イメージデータを表示制御部４９に送る。たとえば画像供給システム１のようなマルチディスプレイにおいては、各ディスプレイ４０間の色合いが異なる場合があり、コマンド処理部４６のコマンド解析結果が色調整のコマンドであることを示している場合、データ処理部４５にて伸張された画像データに対して色調整を行った画像の表示イメージデータを生成し、生成した表示イメージデータを表示制御部４９に送る。あるいは、コマンド処理部４６のコマンド解析結果がＯＳＤ（On-Screen Display）に関するコマンドであることを示している場合、データ処理部４５にて伸張された画像データに対して、フォントデータ４８に記憶されているフォントを合成した表示イメージデータを生成し、生成した表示イメージデータを表示制御部４９に送る。
【００３３】
フォントデータ４８は、たとえば数字あるいは文字のフォントデータを記憶しており、データ解析結果にフォント指定がある場合は、表示データ生成部４７は、フォントデータ４８に記憶されるフォントデータに基づいて、表示イメージデータを生成する。表示制御部４９は、表示データ生成部４７から受け取った表示イメージデータを、コマンド処理部４６から受け取ったコマンド解析結果に従って、表示部５０に表示させる。表示部５０は、たとえば液晶ディスプレイなどによって構成される。
【００３４】
図８には、ＰＬＣ型ハブ３０ｂのブロック図を示したが、ＰＬＣ型ハブ３０ｂの代わりにネットワークハブ３０ａを用いる場合は、ＰＬＣＩ／Ｆ４１に代えてディスプレイ用ネットワークＩ／Ｆを設ける。ディスプレイ用ネットワークＩ／Ｆは、ネットワークハブ３０ａから受け取ったデータをパケット処理部４４に送る。電源・データ分離部４２は、不要であり、電源部４３は、電源・データ分離部４２の代わりに、商用電源など他の電力供給源から電力の供給を受け、各部に供給する。
【００３５】
図９は、図１に示したディスプレイ４０のディスプレイレイアウトの一例を示す。図９に示したディスプレイレイアウトは、９個のディスプレイ４０を縦方向３段および横方向３列に配置したレイアウトである。ディスプレイ位置すなわちレイアウト内における各ディスプレイ４０の位置を、縦方向の位置および横方向の位置で表す。たとえば、ディスプレイ位置は、上から何段目の位置にありかつ左から何列目の位置にあるかで表わされる。
【００３６】
図９に示したレイアウトでは、第１段目のディスプレイ４０について、第１列目の位置を（１，１）と表し、第２列目の位置を（１，２）と表し、第３列目の位置を（１，３）と表している。同様に第２段目のディスプレイ４０について、第１列目の位置を（２，１）と表し、第２列目の位置を（２，２）と表し、第３列目の位置を（２，３）と表している。同様に第３段目のディスプレイ４０について、第１列目の位置を（３，１）と表し、第２列目の位置を（３，２）と表し、第３列目の位置を（３，３）と表している。
【００３７】
図１０は、図３に示したサーバ１０が用いるポートマッピングテーブル１３の一例を示す。ポートマッピングテーブル１３は、ポート番号ごとに対応するディスプレイ位置、すなわち、各ポートに接続されているディスプレイ４０のレイアウト内における位置を示している。図１０に示したポートマッピングテーブル１３は、図９に示したレイアウトでの位置を示しており、ポートＡには、ディスプレイ位置（１，１）に配置されたディスプレイ４０が接続されていることを示している。以下、ポートＢには、ディスプレイ位置（２，１）に配置されたディスプレイ４０が接続され、ポートＣには、ディスプレイ位置（２，３）に配置されたディスプレイ４０が接続され、ポートＤには、ディスプレイ位置（３，１）に配置されたディスプレイ４０が接続され、ポートＥには、ディスプレイ位置（１，２）に配置されたディスプレイ４０が接続され、ポートＦには、ディスプレイ位置（３，２）に配置されたディスプレイ４０が接続され、ポートＧには、ディスプレイ位置（１，３）に配置されたディスプレイ４０が接続され、ポートＨには、ディスプレイ位置（３，３）に配置されたディスプレイ４０が接続され、ポートＩには、ディスプレイ位置（２，２）に配置されたディスプレイ４０が接続されていることを示している。
【００３８】
図１１は、図３に示したサーバ１０が分割した画像イメージの分割例を示す。全体の画像イメージ７０を、図９に示したレイアウトの９個のディスプレイ４０に表示するために、Ｇ１〜Ｇ９の９個の分割画像イメージに分割した例である。分割画像イメージＧ１は、ディスプレイ位置（１，１）のディスプレイ４０に表示させるための分割画像イメージであり、分割画像イメージＧ２は、ディスプレイ位置（１，２）のディスプレイ４０に表示させるための分割画像イメージであり、分割画像イメージＧ３は、ディスプレイ位置（１，３）のディスプレイ４０に表示させるための分割画像イメージであり、分割画像イメージＧ４は、ディスプレイ位置（２，１）のディスプレイ４０に表示させるための分割画像イメージであり、分割画像イメージＧ５は、ディスプレイ位置（２，２）のディスプレイ４０に表示させるための分割画像イメージであり、分割画像イメージＧ６は、ディスプレイ位置（２，３）のディスプレイ４０に表示させるための分割画像イメージであり、分割画像イメージＧ７は、ディスプレイ位置（３，１）のディスプレイ４０に表示させるための分割画像イメージであり、分割画像イメージＧ８は、ディスプレイ位置（３，２）のディスプレイ４０に表示させるための分割画像イメージであり、分割画像イメージＧ９は、ディスプレイ位置（３，３）のディスプレイ４０に表示させるための分割画像イメージである。
【００３９】
図１２は、図３に示したイメージデータ生成部１５が有する画像記憶バッファ１５１の画像記憶バッファ位置を示す。画像記憶バッファ１５１は、イメージデータ生成部１５に含まれるＨＤＤなどの記憶装置によって構成される。図１２に示した画像記憶バッファ１５１は、９個の画像記憶バッファ位置Ｂ（１，１）〜Ｂ（３，３）で表される分割領域に分割されている。たとえばＢ（１，２）は、縦方向が上から第１段目で横方向が左から第２列目の画像記憶バッファ位置である。画像記憶バッファ１５１は、分割された１つの分割画像イメージを、１つの画像記憶バッファ位置の分割領域に記憶する。たとえば縦方向３段および横方向３列の９個のディスプレイ４０に表示する場合は、９個の画像記憶バッファ位置１５１ａを用い、縦方向２段および横方向２列の４個のディスプレイ４０に表示する場合は、４個の画像記憶バッファ位置１５１ｂを用い、縦方向３段および横方向１列の３個のディスプレイ４０に表示する場合は、３個の画像記憶バッファ位置１５１ｃを用いる。
【００４０】
図１３は、図３に示したサーバ１０が用いる画像アサインテーブル６０の一例を示す。画像アサインテーブル６０は、ポートアサイン部１７で生成されるテーブルであり、画像記憶バッファ位置ごとに、対応する出力ポート番号つまりハブ３０のポート番号を示す。図１３に示した画像アサインテーブル６０には、画像記憶バッファ位置Ｂ（１，１）は、出力ポート番号「Ａ」がアサインされ、画像記憶バッファ位置Ｂ（１，２）は、出力ポート番号「Ｅ」がアサインされ、画像記憶バッファ位置Ｂ（１，３）は、出力ポート番号「Ｇ」がアサインされ、画像記憶バッファ位置Ｂ（２，１）は、出力ポート番号「Ｂ」がアサインされ、画像記憶バッファ位置Ｂ（２，２）は、出力ポート番号「Ｉ」がアサインされ、画像記憶バッファ位置Ｂ（２，３）は、出力ポート番号「Ｃ」がアサインされ、画像記憶バッファ位置Ｂ（３，１）は、出力ポート番号「Ｄ」がアサインされ、画像記憶バッファ位置Ｂ（３，２）は、出力ポート番号「Ｆ」がアサインされ、画像記憶バッファ位置Ｂ（３，３）は、出力ポート番号「Ｈ」がアサインされている。
【００４１】
図１４は、図１に示した画像供給システム１の全体処理を示すフローチャートである。ディスプレイ４０をハブ３０に接続した後、各装置に電源が供給され、画像供給システム１が動作可能になると、ステップＡ１に移る。
【００４２】
ステップＡ１では、ディスプレイ位置を検出する。具体的には、まず、サーバ１０は、ディスプレイ４０のレイアウトを検出するための情報を、ハブ３０を介して各ディスプレイ４０に送り表示させる。次に、ディスプレイ４０に表示された情報をカメラ２０によって撮影し、カメラ２０が撮影した画像に基づいて、ディスプレイ位置つまりディスプレイ４０が配置されている位置を検出する。
【００４３】
ステップＡ２では、検出したディスプレイ位置に応じて画像を分割する。すなわち、マルチディスプレイに表示する全体の画像イメージを、検出したディスプレイ位置に応じて分割する。ステップＡ３では、ポート対応付けを行う。すなわち、分割した画像を、各ディスプレイ４０が接続されるハブ３０のポートに対応付ける。ステップＡ４では、画像を出力し、処理を終了する。すなわち、分割した画像を、各ポートを介してディスプレイ４０に出力し表示させ、処理を終了する。継続して画像を表示する場合は、ステップＡ２〜ステップＡ４を繰り返す。
【００４４】
図１５は、図１４に示したディスプレイ位置検出処理の第１の例を示すフローチャートである。図１５に示したディスプレイ位置検出処理は、サーバ１０が行う処理であり、図１４に示したステップＡ１が実行されるとステップＢ１に移る。
【００４５】
ステップＢ１では、全ポートに全黒表示を出力する。すなわち、ハブ３０の全ポートに、画面全体を黒表示とするための情報を出力し、すべてのディスプレイ４０の画面を黒表示にする。ステップＢ２では、カメラ２０によってディスプレイ全体をキャプチャつまり撮影する。ステップＢ３では、全ポートに全白表示を出力する。すなわち、ハブ３０の全ポートに、画面全体を白表示とするための情報を出力し、すべてのディスプレイ４０の画面を白表示にする。ステップＢ４では、カメラ２０によってディスプレイ全体をキャプチャする。
【００４６】
ステップＢ５では、ステップＢ２でキャプチャした黒表示の画像と、ステップＢ２でキャプチャした白表示の画像とから、ディスプレイ領域を認識する。すなわち、表示可能なディスプレイ４０を黒表示から白表示への変化によって検出し、表示可能なディスプレイ４０によって構成されるディスプレイ領域を認識する。ステップＢ６では、認識したディスプレイ領域を構成するディスプレイ４０のディスプレイ構成つまりレイアウトを認識する。すなわち、縦方向ｍ段および横方向ｎ列の構成とした場合、ｍおよびｎを認識する。認識したｍおよびｎの値は、記憶装置などに記憶する。ステップＢ７では、ステップＢ６での認識結果に基づいて表つまりポートマッピングテーブル１３を作成する。すなわち、ポートマッピングテーブル１３のディスプレイ位置の欄に、表示可能なディスプレイ４０のディスプレイ位置を記憶する。
【００４７】
ステップＢ８では、全ポートに異なる情報たとえば番号あるいは情報をコード化したコード情報を出力する。番号を用いる場合、全ポートに、各ポートに対応付けたそれぞれ異なる番号、たとえば１から始まる自然数を出力し、個別のディスプレイ４０に異なる番号を表示させる。コード情報は、情報をコード化した情報であり、たとえばＱＲコードなどの２次元コードあるいはバーコードなどで表される情報である。ステップＢ９では、カメラ２０によってディスプレイ全体をキャプチャする。ステップＢ１０では、番号認識対象パラメータＸを「１」とする。
【００４８】
ステップＢ１１では、番号認識対象パラメータＸが示す番号を表示しているディスプレイ４０を認識する。番号の認識は、たとえば各ディスプレイ４０に表示させた番号の画像イメージを記憶しておいて、番号認識対象パラメータＸが示す番号を表示する画像イメージに一致する画像を表示しているディスプレイを、カメラ２０によってキャプチャした画像の中から、パターンマッチングによって認識してもよいし、あるいはカメラ２０によってキャプチャした画像に表示される各ディスプレイの数字を文字認識によって認識してもよい。
【００４９】
ステップＢ１２では、番号認識対象パラメータＸが示す番号を表示しているディスプレイ４０を認識したか否かを判定する。番号認識対象パラメータＸが示す番号を表示しているディスプレイ４０を認識すると、ステップＢ１３に進み、番号認識対象パラメータＸが示す番号を表示しているディスプレイ４０を認識しないと、ステップＢ１４に進む。
【００５０】
ステップＢ１３では、認識したディスプレイ４０のディスプレイ位置に対応するポートマッピングテーブル１３のポート番号欄に、番号認識対象パラメータＸが示す番号に対応付けられたポート番号を記憶する。ステップＢ１４では、全番号終了したか否かを判定する。各ポートに対応付けた番号すべてについて認識したと判定すると、全番号終了したと判定し、ステップＢ１５に進み、各ポートに対応付けた番号すべてについて、認識したと判定していないと、全番号終了していないと判定し、ステップＢ１６に進む。ステップＢ１５では、全ポートに全黒表示を出力して、画面をクリアし、ディスプレイ位置検出処理を終了する。ステップＢ１６では、番号認識対象パラメータＸに「１」を加算して、ステップＢ１１に戻る。
【００５１】
図１６は、図１５に示したディスプレイ位置検出処理を適用するハブ３０ｃの一例を示す。ハブ３０ｃは、たとえば図４に示したＰＬＣ型ハブ３０ｂと同じものであり、ディスプレイ４０を接続するためのポートとして、ポート番号「Ａ」〜ポート番号「Ｉ」の９個のポートが設けられている。
【００５２】
図１７は、図１５に示したディスプレイ位置検出処理が適用されるディスプレイレイアウトとその表示内容の一例を示す。図１７に示したディスプレイレイアウトは、４つのディスプレイ４０によって構成され、縦方向２段および横方向が２列に配置されている。ディスプレイ位置（１，１）のディスプレイ４０には、番号「２」が表示され、ディスプレイ位置（１，２）のディスプレイ４０には、番号「９」が表示され、ディスプレイ位置（２，１）のディスプレイ４０には、番号「８」が表示され、ディスプレイ位置（２，２）のディスプレイ４０には、番号「４」が表示されている。サーバ１０は、カメラ２０によってディスプレイ全体をキャプチャし、各ディスプレイ４０に表示されている番号を認識する。
【００５３】
図１８は、図１５に示したディスプレイ位置検出処理で用いられるポートマッピングテーブル１３の一例を示す。ポートマッピングテーブル１３ａは、サーバ１０が各ディスプレイ４０のディスプレイ位置を認識したときに作成したテーブルである。ポートマッピングテーブル１３ａのディスプレイ位置欄には、上から順に、（１，１）、（１，２）、（２，１）、および（２，２）と示され、ポート番号欄は、空欄である。
【００５４】
出力番号対応テーブル６２は、各ポートに出力した番号を、ポート番号ごとに対応付けて出力番号として示している。ポート番号「Ａ」〜ポート番号「Ｉ」にそれぞれ出力番号「１」〜出力番号「９」が対応付けられている。ポートマッピングテーブル１３ｂは、サーバ１０が各ディスプレイ４０に表示されている番号に基づいて、そのディスプレイ４０が接続されているポート番号を、出力番号対応テーブル６２から抽出し、抽出したポート番号を、ポートマッピングテーブル１３ａに追加したテーブルである。
【００５５】
図１９は、図１４に示したディスプレイ位置検出処理の第２の例を示すフローチャートである。図１９に示したディスプレイ位置検出処理は、サーバ１０が行う処理であり、図１４に示したステップＡ１が実行されるとステップＣ１に移る。ステップＣ１〜ステップＣ６は、それぞれ図１５に示したステップＢ１〜ステップＢ６と同じ処理であり、重複を避けるために説明は省略する。
【００５６】
ステップＣ７では、ステップＣ６での認識結果に基づいてポートマッピングテーブル１３を作成する。すなわち、ポートマッピングテーブル１３のポート番号の欄に、ハブ３０に設けられたポートのポート番号を記憶する。ステップＣ８では、ポート認識対象パラメータＹを「Ａ」とする。ステップＣ９では、ポートＹだけは全白を出力し、それ以外は全黒を出力する。すなわち、ポート認識対象パラメータＹが示すポートに画面全体を白表示とするための情報を出力し、そのポートに接続されるディスプレイ４０の画面を白表示にするとともに、ポート認識対象パラメータＹが示すポート以外のポートに画面全体を黒表示とするための情報を出力し、それらのポートに接続されるディスプレイ４０の画面を黒表示にする。
【００５７】
ステップＣ１０では、カメラ２０によってディスプレイ全体をキャプチャする。ステップＣ１１では、全白のディスプレイ４０を認識する。ステップＣ１２では、全白のディスプレイ４０を認識することができたか否かを判定する。全白のディスプレイ４０を認識することができると、ステップＣ１３に進み、全白のディスプレイ４０を認識することができないと、ステップＣ１４に進む。ステップＣ１３では、ポートマッピングテーブル１３のポートＹに全白の位置を設定する。すなわち、ポートマッピングテーブル１３のポート番号欄のうち、ポート認識対象パラメータＹが示すポートのポート番号欄に対応付けられたディスプレイ位置欄に、全白のディスプレイ４０のディスプレイ位置を記憶する。
【００５８】
ステップＣ１４では、全ポート終了したか否かを判定する。各ポートのポート番号すべてについて認識したと判定すると、全ポート終了したと判定し、ステップＣ１５に進み、各ポートのポート番号すべてについて認識したと判定していないと、全ポート終了していないと判定し、ステップＣ１６に進む。ステップＣ１５では、全ポートに全黒表示を出力して、画面をクリアし、ディスプレイ位置検出処理を終了する。ステップＣ１６では、番号認識対象パラメータＹを次のポート番号として、ステップＣ９に戻る。
【００５９】
図２０は、図１９に示したディスプレイ位置検出処理を適用するハブ３０ｄの一例を示す。ハブ３０ｄは、たとえば図４に示したＰＬＣ型ハブ３０ｂと同じものであり、ディスプレイ４０を接続するためのポートとして、ポート番号「Ａ」〜ポート番号「Ｉ」の９個のポートが設けられている。
【００６０】
図２１は、図１９に示したディスプレイ位置検出処理が適用されるディスプレイレイアウトとその表示内容の一例を示す。図２１に示したディスプレイレイアウトは、４つのディスプレイ４０によって構成され、縦方向２段および横方向２列に配置されている。ディスプレイ位置（１，１）のディスプレイ４０には、画面全体に白が表示され、他の３つのディスプレイ４０には、画面全体に黒が表示されている。サーバ１０が、１つのポートに白表示を出力したとき、ディスプレイ位置（１，１）のディスプレイ４０に白が表示された状態を示している。したがって、サーバ１０は、白表示を指示したポートと白が表示されたディスプレイ位置との対応を認識することができる。
【００６１】
図２２は、図１９に示したディスプレイ位置検出処理で用いられるポートマッピングテーブル１３の一例を示す。ポートマッピングテーブル１３ｃは、サーバ１０が各ポートに白表示を順次することによって、ポートとディスプレイ位置との対応を認識し、認識したディスプレイ位置を対応するポート番号ごとに設定したものである。図２２には、ポート番号「Ｂ」に対応するディスプレイ位置として（１，１）が示され、ポート番号「Ｄ」に対応するディスプレイ位置として（２，２）が示され、ポート番号「Ｈ」に対応するディスプレイ位置として（２，１）が示され、ポート番号「Ｉ」に対応するディスプレイ位置として（１，２）が示されている。
【００６２】
図２３は、図１４に示したディスプレイ位置検出処理の第３の例を示すフローチャートである。図２３に示したディスプレイ位置検出処理は、サーバ１０が行う処理であり、図１４に示したステップＡ１が実行されるとステップＤ１に移る。ステップＤ１〜ステップＤ６は、それぞれ図１５に示したステップＢ１〜ステップＢ６と同じ処理であり、重複を避けるために説明は省略する。ステップＤ７では、表示可能なディスプレイ４０のディスプレイ位置を認識し、ディスプレイ位置検出処理を終了する。
【００６３】
図２３に示したディスプレイ位置検出処理では、図２４で後述するハブ３０ｅを用いるので、ディスプレイ位置とポート番号とは対応する位置に配置され、ポート番号が決まれば、対応するディスプレイ位置を特定することができる。したがって、表示可能なディスプレイ４０のディスプレイ位置を認識することができれば、そのディスプレイ４０が接続されているポートのポート番号も確定する。
【００６４】
図２４は、図２３に示したディスプレイ位置検出処理を適用するハブ３０ｅの一例を示す。ハブ３０ｅは、たとえば図４に示したＰＬＣ型ハブ３０ｂと同じものであり、ディスプレイ４０を接続するためのポートとして、ポート番号「Ａ」〜ポート番号「Ｉ」の９個のポートが設けられている。さらに、ポート番号「Ａ」〜ポート番号「Ｉ」の９個のポートは、ディスプレイ４０が配置される位置に対応する位置に配置される。たとえば、図２４に示したハブ３０ｅは、縦方向３段および横方向３列に配置され、その配置位置は、９個のディスプレイ４０が、縦方向３段および横方向３列に配置される位置に対応付けられている。したがって、ディスプレイ４０を配置して、ハブ３０ｅに接続する際、対応する位置のポートに接続すればよい。
【００６５】
図２５は、図３に示したサーバ１０が行なう画像分割処理を示すフローチャートである。図２５に示した画像分割処理は、サーバ１０が行う処理であり、図１４に示したステップＡ２が実行されるとステップＥ１に移る。
【００６６】
ステップＥ１では、ｍおよびｎの値を読み取る。すなわち、ディスプレイ位置検出処理で認識したディスプレイ構成の縦方向の段数ｍおよび横方向の列数ｎを読み出す。たとえば図１５に示したステップＢ６、図１９に示したステップＣ６、あるいは図２３に示したステップＤ６で認識し、記憶装置などに記憶しておいた値を読み出す。ステップＥ２では、全体の画像イメージを縦方向ｍおよび横方向ｎに分割する。ステップＥ３では、分割した画像を、分割記憶バッファ１５１の対応する画像記憶バッファ位置の領域に転送し記憶する。ステップＥ４では、すべての画像について終了したか否かを判定し、すべての画像について終了すると、画像分割処理を終了し、すべての画像について終了していないと、ステップＥ２に戻る。
【００６７】
図２６は、図１に示した画像供給システム１の画像出力処理を示すフローチャートである。図２６に示した画像出力処理は、図１４に示したステップＡ４が実行されるとステップＦ１に移る。ステップＦ１〜Ｆ３は、サーバ１０による処理であり、ステップＦ４〜Ｆ７は、ハブ３０による処理であり、ステップＦ８〜Ｆ１０は、ディスプレイ４０による処理である。
【００６８】
ステップＦ１では、コマンド生成部１４によってコマンドを生成する。すなわち、画像をディスプレイ４０に表示させるためのコマンドを生成する。ステップＦ２では、パケット化部１８によって、パケット化する。すなわち、コマンド生成部１４によって生成されたコマンドをパケット化し、さらに表示させる画像のデータをパケット化する。ステップＦ２では、パケット化部１８によってパケット化されたコマンドのパケットデータおよびデータのパケットデータを、ネットワークＩ／Ｆ１９によって、ハブ３０へ送信する。
【００６９】
ステップＦ４では、ハブ３０によってパケットデータを受信する。ステップＦ５では、パケット解析部３１によって、受信したパケットデータを解析する。ステップＦ６では、データ振り分け部３２によって、受信したパケットデータを、解析結果に基づいて各ポート対応のＤｅｌａｙ調整部に割り振り、各Ｄｅｌａｙ調整部によって、ポートごとに予め測定されている遅延時間分の時間調整を行なう。ステップＦ７では、ハブ３０の各ポートから、各ポートに接続されるディスプレイ４０にパケットデータを送信する。
【００７０】
ステップＦ８では、ディスプレイのネットワークＩ／ＦたとえばＰＬＣＩ／Ｆ４１によって、ハブ３０からのパケットデータを受信する。ステップＦ９では、パケット処理部４４によって、受信したパケットデータを処理つまりコマンドのパケットデータからコマンドを抽出し、データのパケットデータからデータを抽出する。ステップＦ１０では、コマンド処理部４６によって、コマンドを実行つまりデータを表示し、画像出力処理を終了する。
【００７１】
図２７は、図３に示したサーバ１０が行なう処理の詳細なフローチャートである。ディスプレイ４０をハブ３０に接続した後、各装置に電源が供給され、画像供給システム１が動作可能になると、ステップＧ１に移る。
【００７２】
ステップＧ１では、ディスプレイ４０の位置判定を行い、ポートマッピングテーブル１３を作成する。ステップＧ２では、ディスプレイ４０に表示する全体の画像のイメージデータを生成する。ステップＧ３では、ディスプレイ構成にあわせてイメージデータを分割し、ディスプレイ位置と分割したイメージデータとを対応付ける。ステップＧ４では、分割したイメージデータを対応する出力ポートにアサインする。具体的には、分割したイメージデータを、その分割したイメージデータを表示させるディスプレイ位置のディスプレイ４０に接続されるポートのポート番号に対応付ける。ステップＧ５では、分割したイメージデータをパケット化する。具体的には、ポート番号およびそのポート番号のポートに出力する分割したイメージデータをまとめて、ＥＣＣ（Error Correcting Code）を付加し、さらにスタートおよびエンドなどの制御データを付加してパケット化する。コマンドを送信する場合は、イメージデータに代えてコマンドを送信する。ステップＧ６では、パケット化されたパケットデータをネットワークＩ／Ｆ１９からハブ３０に出力し、処理を終了する。
【００７３】
図２８は、図５に示したＰＬＣ型ハブ３０ｂが行なう処理の詳細なフローチャートである。ＰＬＣ型ハブ３０ｂは、パケットデータを受信すると、ステップＨ１に移る。
【００７４】
ステップＨ１では、パケット解析部３１によってパケットデータからイメージデータを検出する。ステップＨ２では、データ割り振り部３２によって、ポートごとにイメージデータを振り分ける。ステップＨ３では、Ｄｅｌａｙ調整部３３によってポートごとに遅延時間分の時間調整を行い、パケット化する。ここでは、ポート番号を除いた分割したイメージデータについてのみパケット化する。ステップＨ４では、電源・データ混合部３４によって電源ラインにパケットデータを重畳する。ステップＨ５では、各ポートからパケットデータをディスプレイ４０に出力して終了する。
【００７５】
図２９は、図８に示したディスプレイ４０が行なう処理の詳細なフローチャートである。ディスプレイ４０は、パケットデータを受信すると、ステップＪ１に移る。
【００７６】
ステップＪ１では、パケット処理部４４によってパケットデータからコマンドまたはデータを抽出し、コマンドとデータとに分ける。ステップＪ２では、受信したパケットデータがデータか否かを判定する。受信したパケットデータがデータであると、ステップＪ３に進み、受信したパケットデータがデータでないと、ステップＪ６に進む。
【００７７】
ステップＪ３では、受信したデータを表示データ生成部４７へ送る。ステップＪ４では、表示データ生成部４７は、受信したデータから表示データを生成し、表示制御部４９へ送る。ステップＪ５では、表示制御部４９は、表示データ生成部４７から受け取った表示データを表示部５０に送り表示させ、処理を終了する。ステップＪ６では、コマンド処理部４６によって、表示データ生成部４７および表示制御部４９を、受信したコマンドに合わせて設定し処理を終了する。
【００７８】
このように、マルチディスプレイを構成する複数のディスプレイ部であるたとえばディスプレイ４０に画像を表示するにあたって、複数のポート部であるたとえばポートによって、複数のディスプレイ部が個別に接続され、接続部であるたとえばハブ３０によって、複数のディスプレイ部がマルチディスプレイを構成する配置構成に、複数のポート部が配置され、出力部であるたとえばサーバ１０によって、各ポート部を経由して個別のディスプレイ部に、ディスプレイ部が設置されていることを示す設置画像情報であるたとえば白色のみの画像情報が出力され、撮影部であるたとえばカメラ部２０によって、ディスプレイ部に表示された設置画像情報が撮影され、検出部であるたとえばハブ３０によって、撮影部によって撮影された設置画像情報に基づいて、各ポート部に接続される個別のディスプレイ部の配置位置が検出されるので、隣接するディスプレイとの通信を行なうことなく、ポート部とディスプレイ部の接続ミスを低減するとともに、複数のディスプレイの配置構成を自動認識することができる。したがって、マルチディスプレイの設置において、作業を簡略化することができる。
【００７９】
さらに、前記出力部によって、１つの画像を分割した分割画像のうち、その画像の中に占める分割画像の位置が、前記検出部によって検出された個別のディスプレイ部の配置位置に対応する位置の分割画像を表す分割画像情報であるたとえば分割した画像イメージが、個別のディスプレイ部に出力されるので、設定ミスが低減されたディスプレイの配置構成で画像情報を転送することができる。したがって、システムの信頼性を向上することができる。
【００８０】
さらにまた、前記出力部によって、電力を各ディスプレイ部に供給する電力線を介して、設置画像情報および分割画像情報が出力されるので、電力線を利用して表示するための画像情報を転送することができる。したがって、ネットワークなどのデータを送受信するための回線がなくても画像情報を転送することができる。
【００８１】
さらにまた、前記配置構成は、縦方向の段数および横方向の列数で表されるので、複数のディスプレイ部の配置位置と、ポート部の位置との対応を容易に理解することができる。したがって、接続ミスを低減することができる。
【図面の簡単な説明】
【００８２】
【図１】本発明の実施の一形態である画像供給システム１の外観を模式的に示す。
【図２】図１に示した画像供給システム１のブロック図である。
【図３】図１に示したサーバ１０のブロック図である。
【図４】図１に示したハブ３０の一種であるＰＬＣ型ハブ３０ｂの外観の一例を模式的に示す。
【図５】図４に示したＰＬＣ型ハブ３０ｂのブロック図である。
【図６】図１に示したハブ３０の一種であるネットワークハブ３０ａの外観の一例を模式的に示す。
【図７】図６に示したネットワークハブ３０ａのブロック図である。
【図８】図１に示したディスプレイ４０のブロック図である。
【図９】図１に示した各ディスプレイ４０のディスプレイレイアウトの一例を示す。
【図１０】図３に示したサーバ１０が用いるポートマッピングテーブル１３の一例を示す。
【図１１】図３に示したサーバ１０が分割した画像イメージの分割例を示す。
【図１２】図３に示したイメージデータ生成部１５が有する画像記憶バッファ１５１の画像記憶バッファ位置を示す。
【図１３】図３に示したサーバ１０が用いる画像アサインテーブル６０の一例を示す。
【図１４】図１に示した画像供給システム１の全体処理を示すフローチャートである。
【図１５】図１４に示したディスプレイ位置検出処理の第１の例を示すフローチャートである。
【図１６】図１５に示したディスプレイ位置検出処理を適用するハブ３０ｃの一例を示す。
【図１７】図１５に示したディスプレイ位置検出処理が適用されるディスプレイレイアウトとその表示内容の一例を示す。
【図１８】図１５に示したディスプレイ位置検出処理で用いられるポートマッピングテーブル１３の一例を示す。
【図１９】図１４に示したディスプレイ位置検出処理の第２の例を示すフローチャートである。
【図２０】図１９に示したディスプレイ位置検出処理を適用するハブ３０ｄの一例を示す。
【００８３】
【図２１】図１９に示したディスプレイ位置検出処理が適用されるディスプレイレイアウトとその表示内容の一例を示す。
【図２２】図１９に示したディスプレイ位置検出処理で用いられるポートマッピングテーブル１３の一例を示す。
【図２３】図１４に示したディスプレイ位置検出処理の第３の例を示すフローチャートである。
【図２４】図２３に示したディスプレイ位置検出処理を適用するハブ３０ｅの一例を示す。
【図２５】図３に示したサーバ１０が行なう画像分割処理を示すフローチャートである。
【図２６】図１に示した画像供給システム１の画像出力処理を示すフローチャートである。
【図２７】図３に示したサーバ１０が行なう処理の詳細なフローチャートである。
【図２８】図５に示したＰＬＣ型ハブ３０ｂが行なう処理の詳細なフローチャートである。
【図２９】図８に示したディスプレイ４０が行なう処理の詳細なフローチャートである。
【符号の説明】
【００８４】
１  画像供給システム
１０  サーバ
１１  カメラＩ／Ｆ
１２  画像処理認識部
１３  ポートマッピングテーブル
１４  コマンド生成部
１５  イメージデータ生成部
１６  データ分割部
１７  ポートアサイン部
１８  パケット化部
１９  ネットワークＩ／Ｆ
２０  カメラ
３０  ハブ
３０ａ  ネットワークハブ
３０ｂ  ＰＬＣ型ハブ
３１  パケット解析部
３２  データ振り分け部
３３  Ｄｅｌａｙ調整部
３４  電源・データ混合部
３５  電源
４０  ディスプレイ
４１  ＰＬＣＩ／Ｆ
４２  電源・データ分離部
４３  電源部
４４  パケット処理部
４５  データ処理部
４６  コマンド処理部
４７  表示データ生成部
４８  フォントデータ
４９  表示制御部
５０  表示部
６０  画像アサインテーブル
７０  画像イメージ
１５１  画像記憶バッファ
【図１】
2008281717.tif 000003
【図２】
2008281717.tif 000004
【図３】
2008281717.tif 000005
【図４】
2008281717.tif 000006
【図５】
2008281717.tif 000007
【図６】
2008281717.tif 000008
【図７】
2008281717.tif 000009
【図８】
2008281717.tif 000010
【図９】
2008281717.tif 000011
【図１０】
2008281717.tif 000012
【図１１】
2008281717.tif 000013
【図１２】
2008281717.tif 000014
【図１３】
2008281717.tif 000015
【図１４】
2008281717.tif 000016
【図１５】
2008281717.tif 000017
【図１６】
2008281717.tif 000018
【図１７】
2008281717.tif 000019
【図１８】
2008281717.tif 000020
【図１９】
2008281717.tif 000021
【図２０】
2008281717.tif 000022
【図２１】
2008281717.tif 000023
【図２２】
2008281717.tif 000024
【図２３】
2008281717.tif 000025
【図２４】
2008281717.tif 000026
【図２５】
2008281717.tif 000027
【図２６】
2008281717.tif 000028
【図２７】
2008281717.tif 000029
【図２８】
2008281717.tif 000030
【図２９】
2008281717.tif 000031